(57)【要約】【課題】  酸化剤ガスの拡散防止をはかるとともに、セルに酸化剤ガスが接触しやすくさせることにより、セルに十分に酸化剤ガスが供給され発電性能が良好となる燃料電池モジュールを提供すること。【解決手段】  この燃料電池モジュールＦＣは、燃料電池セル４を含む複数の燃料電池セルユニット３０と、複数の燃料電池セルユニット３０それぞれの他端側を保持する上支持板４００ａと、を備え、複数の燃料電池セルユニット３０それぞれの他端側が上支持板４００ａを貫通し、当該貫通部分において複数の燃料電池セルユニット３０それぞれは上支持板４００ａに対して密着固定され、上支持板４００ａは、複数あり、隣り合う上支持板との間に離間部を有する。さらに酸化剤ガス拡散防止壁を備える。【選択図】図５
2010097797.tif 000002
【特許請求の範囲】
【請求項１】
燃料ガスが内部通路の一端側から他端側へと流れ、酸化剤ガスが外部の一端側から他端
側へと流れることによって作動する燃料電池セルを含む複数の燃料電池セル部材と、
前記複数の燃料電池セル部材それぞれの内部通路に連通され、前記それぞれの内部通路
に対して燃料ガスを供給するガスタンクと、
前記複数の燃料電池セル部材それぞれの他端側を保持する板状の複数の保持部材と、を備える
燃料電池モジュールであって、
前記複数の燃料電池セル部材それぞれの一端側が前記ガスタンクに対して保持されて、
前記複数の燃料電池セル部材それぞれが前記ガスタンクに対して立設され、
前記複数の燃料電池セル部材それぞれの前記内部通路を通った燃料ガスが、前記複数の
燃料電池セル部材それぞれの他端側から前記保持部材を通過可能なように、前記複数の燃
料電池セル部材それぞれの他端側が前記保持部材に対して密着固定され、
前記複数のそれぞれの保持部材は、前記複数の燃料電池セル部材において発電反応に寄与しなかった残余の酸化剤ガスが通過可能なように離間配置されるとともに、
前記複数の燃料電池セル部材に隣接される酸化剤ガス拡散防止壁と、
を備えることを特徴とする燃料電池モジュール。
【請求項２】
前記複数の燃料電池セル部材それぞれの他端側が前記複数のそれぞれの保持部材を貫通していることを特徴とする請求項１に記載の燃料電池モジュール。
【請求項３】
前記複数のそれぞれの保持部材には前記複数の燃料電池セル部材それぞれが貫通する複数の貫通穴が形成されており、
前記複数の燃料電池セル部材それぞれは、前記複数の貫通穴それぞれに対して直接密着
して固定されていることを特徴とする請求項１又は２に記載の燃料電池モジュール。
【発明の詳細な説明】
【技術分野】
【０００１】
本発明は、燃料ガスと酸化剤ガスとが一端側から他端側へと流れることによって作動す
る複数の燃料電池セルを含む燃料電池モジュールに関する。
【背景技術】
【０００２】
燃料ガスと酸化剤ガスとが一端側から他端側へと流れることによって作動する複数の燃
料電池セルを含む燃料電池モジュールにおいては、複数の燃料電池セルを立設させること
が一般的に行われている。例えば、下記特許文献１では、燃料電池セルスタックの周囲に供給される酸素含有ガスの拡散を防止するべく燃料電池セルスタックを包囲する酸素含有ガス包囲手段の技術が開示されている。
【０００３】
また、燃料電池セルの折損を確実に防止できるとともに、セルスタックの口開きが抑制され、これにより集電部材による燃料電池セル間の電気的な接続を長期にわたって維持できる技術としては、下記特許文献２に記載されているようなものも提案されている。
【特許文献１】特開２００７−２３４３８４号公報
【特許文献２】特開２００５−１５００７７号公報
【発明の開示】
【発明が解決しようとする課題】
【０００４】
上記特許文献１に記載されている燃料電池モジュールでは、燃料電池セルスタックの周囲に供給される酸素含有ガスの拡散を防止するべく該燃料電池セルスタックを取り囲む酸素含有ガス包囲手段を備えていた。しかし単純にガスの拡散防止に寄与する考えしかなく、より積極的に燃料電池セルスタックに酸素含有ガスを接触させようとするものではなかった。
【０００５】
一方で、単純に各燃料電池セルの位置を固定しようとすれば、各燃料電池セルの周囲に様々な固定部材を配置する考えはあったが、酸素含有ガスとセルとの接触を考えたものではなかった。
【０００６】
そこで本発明では、酸化剤ガスの拡散防止をはかるとともに、セルに酸化剤ガスが接触しやすくさせることにより、セルに十分に酸化剤ガスが供給され発電性能が良好となる燃料電池モジュールを提供することを目的とする。
【課題を解決するための手段】
【０００７】
上記課題を解決するために本発明に係る燃料電池モジュールは、  
燃料ガスが内部通路の一端側から他端側へと流れ、酸化剤ガスが外部の一端側から他端
側へと流れることによって作動する燃料電池セルを含む複数の燃料電池セル部材と、
前記複数の燃料電池セル部材それぞれの内部通路に連通され、前記それぞれの内部通路
に対して燃料ガスを供給するガスタンクと、
前記複数の燃料電池セル部材それぞれの他端側を保持する板状の複数の保持部材と、を備える
燃料電池モジュールであって、
前記複数の燃料電池セル部材それぞれの一端側が前記ガスタンクに対して保持されて、
前記複数の燃料電池セル部材それぞれが前記ガスタンクに対して立設され、
前記複数の燃料電池セル部材それぞれの前記内部通路を通った燃料ガスが、前記複数の
燃料電池セル部材それぞれの他端側から前記保持部材を通過可能なように、前記複数の燃
料電池セル部材それぞれの他端側が前記保持部材に対して密着固定され、
前記複数のそれぞれの保持部材は、前記複数の燃料電池セル部材において発電反応に寄与しなかった残余の酸化剤ガスが通過可能なように離間配置されるとともに、
前記複数の燃料電池セル部材に隣接される酸化剤ガス拡散防止壁と、
を備えることを特徴とする。
【発明の効果】
【０００８】
本発明によれば、酸化剤ガスの拡散防止をはかるとともに、セルに酸化剤ガスが接触しやすくさせることにより、セルに十分に酸化剤ガスが供給され発電性能が良好となる燃料電池モジュールを提供することができる。
【発明を実施するための最良の形態】
【０００９】
本発明を実施するための最良の形態を説明するのに先立って、本発明の作用効果につい
て説明する。
【００１０】
本発明に係る燃料電池モジュールは、燃料ガスが内部通路の一端側から他端側へと流れ、酸化剤ガスが外部の一端側から他端
側へと流れることによって作動する燃料電池セルを含む複数の燃料電池セル部材と、
前記複数の燃料電池セル部材それぞれの内部通路に連通され、前記それぞれの内部通路
に対して燃料ガスを供給するガスタンクと、
前記複数の燃料電池セル部材それぞれの他端側を保持する板状の複数の保持部材と、を備える
燃料電池モジュールであって、
前記複数の燃料電池セル部材それぞれの一端側が前記ガスタンクに対して保持されて、
前記複数の燃料電池セル部材それぞれが前記ガスタンクに対して立設され、
前記複数の燃料電池セル部材それぞれの前記内部通路を通った燃料ガスが、前記複数の
燃料電池セル部材それぞれの他端側から前記保持部材を通過可能なように、前記複数の燃
料電池セル部材それぞれの他端側が前記保持部材に対して密着固定され、
前記複数のそれぞれの保持部材は、前記複数の燃料電池セル部材において発電反応に寄与しなかった残余の酸化剤ガスが通過可能なように離間配置されるとともに、
前記複数の燃料電池セル部材に隣接される酸化剤ガス拡散防止壁と、
を備えることを特徴とする。
【００１１】
本発明では、酸化剤ガス拡散防止壁により酸化剤ガス拡散防止壁よりも外側へ酸化剤ガスが拡散することを防止する。さらに複数のそれぞれの保持部材が離間配置されることで、その離間部分が酸化剤ガスの通り道となるので、その下方に配置されるセルに接触しながら上方へ移動することがより簡便になされることとなる。よってセルに酸化剤ガスが十分に供給され発電性能が良好となる。
言い換えると、酸化剤ガス拡散防止壁により区画された領域より複数の保持部材を離間配置したそれぞれの離間部の総断面積を小さくすることで、流体抵抗が増大し、酸化剤ガスの均一供給が可能となる。
【００１２】
また、本発明に係る燃料電池モジュールでは、前記複数の燃料電池セル部材それぞれの
他端側が前記複数のそれぞれの保持部材を貫通していることも好ましい。このように、複数の燃料電池セルそれぞれの他端側が保持部材を貫通しているので、燃料電池セルを通過した燃料ガスを確実に保持部材の裏側へと通過させて燃焼させることが可能となる。
【００１３】
また、本発明に係る燃料電池モジュールでは、前記複数のそれぞれの保持部材には前記複数の燃料電池セル部材それぞれが貫通する複数の貫通穴が形成されており、前記複数の燃料電池セル部材それぞれは、前記複数の貫通穴それぞれに対して直接密着して固定されていることも好ましい。
【００１４】
この態様によれば、燃料電池セル部材と保持部材の貫通穴とが直接密着して固定されて
いるので、部材点数を増やさずにより簡単な構成で、燃料電池セル部材と保持部材とを密
着固定することができる。
【００１５】
以下、添付図面を参照しながら本発明の好適な実施の形態について説明する。説明の理
解を容易にするため、各図面において同一の構成要素に対しては可能な限り同一の符号を
付して、重複する説明は省略する。
【００１６】
図１は、本発明に係る燃料電池モジュールの一実施形態である燃料電池モジュールＦＣ
を示す斜視図であって、カバー部材を取り外した状態を示す図である。図２は、燃料電池
モジュールＦＣの断面図であって、図１の矢印Ａ方向において、燃料電池モジュールＦＣ
の中央近傍における断面図である。図３は、燃料電池モジュールＦＣの断面図であって、
図１の矢印Ｂ方向において、燃料電池モジュールＦＣの中央近傍における断面図である。
尚、図２及び図３においては、断面のハッチングを省略している。
【００１７】
カバー部材（図１，３に明示しない。図２にその外形を二点鎖線で示す）は、正面側の
側壁と、長手方向の一対の側壁と、背面側の側壁と、天井とによって直方体状に形成され
る。各側壁の下端部には、フランジ部が形成され、そのフランジ部をベース部材２に当接
させることで、カバー部材とベース部材２とによって密閉される空間が形成されている。
カバー部材とベース部材２とはボルト（図示しない）によって固定され、そのボルトがカ
バー部材に設けられた取り付け穴を貫通し、ベース部材２に設けられた取り付け穴２ａを
貫通することで固定されている。
【００１８】
カバー部材とベース部材２とによって形成される内部空間は、仕切り板１５によって二
つの空間に分離されている。仕切り板１５によって分離されている空間の内、燃料電池セ
ルスタック４００が配置されている空間が発電室１６である。仕切り板１５によって分離
されている空間の内、他方の空間が排気ガス室１７である。尚、カバー部材の内壁面と仕
切り板１５とは、直接若しくは何らかの密着用部材（例えば、可撓性のある薄板部材）を
介して間接的に密着している。
【００１９】
仕切り板１５は、ベース部材２に設けられた支持部材１５ａに戴置され、ベース部材２
と所定距離を保って保持されている。支持部材１５ａは、仕切り板１５を長手方向の両端
において支持するように一対設けられている。従って、一対の支持部材１５ａ，１５ａ間
には隙間１５ｂが形成されている。カバー部材の壁面に設けられた排気ガス通路（図示し
ない）を通った排出ガスは、この隙間１５ｂから排気ガス室１７へと導入される。
【００２０】
仕切り板１５にはガスタンク３が載置されている。ガスタンク３には、燃料電池セルス
タック４００が１０個並べて配置されており、ガスタンク３から燃料ガスが、それぞれの
燃料電池セルスタック４００を構成する燃料電池セル４に供給される。
【００２１】
より具体的には、ガスタンク３の上面には、燃料電池セルスタック４００の下支持板４
００ｂとほぼ同じ形状の開口部（図示しない）が設けられており、その開口部に下支持板
４００ｂを密接させてガスタンク３と各燃料電池セルスタック４００とが接続されている
。従って、燃料電池セルスタック４００を構成する燃料電池セル４は、その先端部分を上
部側に向けてガスタンク３に立設されている。
【００２２】
各燃料電池セル４は、管状であり、燃料電池セル４の管内を燃料電池セル４の一方の端
部から他方の端部へと流れるガスと、その管外を一方の端部から他方の端部へと流れるガ
スの作用により作動する。本実施形態では、燃料電池セル４の管内を流れるガスは、水素
又は炭化水素燃料等を改質した改質ガス等の燃料ガスであり、燃料電池セル４の管外を流
れるガスは、酸素を含む空気等の酸化剤ガスである。
【００２３】
ここで、燃料電池セル４を含む燃料電池セルユニット３０（燃料電池セル部材）につい
て、図４を参照しながら説明する。図４に示すように、燃料電池セルユニット３０は、燃
料電池セル４によって形成され且つ上下方向に延びる管状構造体であり、円筒形の燃料電
池セル４と、燃料電池セル４の一方の端部４ａに取付けられた内側電極端子４０と、他方
の端部４ｂに取付けられた外側電極端子４２と、を有している。
【００２４】
燃料電池セル４は、円筒形の内側の電極層４４と、円筒形の外側の電極層４８と、これ
らの電極層４４、４８の間に配置された円筒形の電解質層４６と、内側の電極層４４の内
側に構成される貫通流路５０とを有している。また、燃料電池セル４の一方の端部４ａに
、内側の電極層４４が電解質層４６及び外側の電極層４８に対して露出した内側電極露出
周面４４ａと、電解質層４６が外側の電極層４８に対して露出した電解質露出周面４６ａ
とが設けられている。燃料電池セル４の他方の端部４ｂは、外側の電極層４８が露出した
外側電極露出周面４８ａによって構成されている。貫通流路５０は、燃料ガス流路として
機能する。内側電極露出周面４４ａは、内側の電極層４４と電気的に通じる内側電極外周
面でもある。外側電極露出周面４８ａは、外側の電極層４８と電気的に通じる外側電極外
周面でもある。
【００２５】
内側の電極層４４は、例えば、Ｎｉと、ＣａやＹ、Ｓｃ等の希土類元素から選ばれる少
なくとも一種をドープしたジルコニアとの混合体、Ｎｉと、希土類元素から選ばれる少な
くとも一種をドープしたセリアとの混合体、Ｎｉと、Ｓｒ、Ｍｇ、Ｃｏ、Ｆｅ、Ｃｕから
選ばれる少なくとも一種をドープしたランタンガレートとの混合体、の少なくとも一種か
ら形成される。電解質層４６は、例えば、Ｙ、Ｓｃ等の希土類元素から選ばれる少なくと
も一種をドープしたジルコニア、希土類元素から選ばれる少なくとも一種をドープしたセ
リア、Ｓｒ、Ｍｇから選ばれる少なくとも一種をドープしたランタンガレート、の少なく
とも一種から形成される。外側の電極層４８は、例えば、Ｓｒ、Ｃａから選ばれる少なく
とも一種をドープしたランタンマンガナイト、Ｓｒ、Ｃｏ、Ｎｉ、Ｃｕから選ばれる少な
くとも一種をドープしたランタンフェライト、Ｓｒ、Ｆｅ、Ｎｉ、Ｃｕから選ばれる少な
くとも一種をドープしたサマリウムコバルト、銀、などの少なくとも一種から形成される
。この場合、内側の電極層４４が燃料極になり、外側の電極層４８が空気極になる。内側
の電極層４４の厚さは、例えば、１ｍｍであり、電解質層４６の厚さは、例えば、３０μ
ｍであり、外側の電極層４８の厚さは、例えば、３０μｍであり、その外径は、例えば、
１〜１０ｍｍである。
【００２６】
内側電極端子４０は、内側電極露出周面４４ａを全周にわたって外側から覆うように配
置され且つそれと電気的に接続された本体部分４０ａと、本体部分４０ａから燃料電池セ
ル４の長手方向に延びる管状部分４０ｂとを有している。本体部分４０ａ及び管状部分４
０ｂは、円筒形であり且つ同心に配置され、管状部分４０ｂの管径は、本体部分４０ａの
管径よりも細くなっている。管状部分４０ｂは、貫通流路５０と連通し且つ外部と通じる
接続流路４０ｃを有している。本体部分４０ａと管状部分４０ｂとの間の段部４０ｄは、
内側の電極層４４の端面４４ｂと当接している。
【００２７】
外側電極端子４２は、外側電極露出周面４８ａを全周にわたって外側から覆うように配
置され且つそれと電気的に接続された本体部分４２ａと、本体部分４２ａから燃料電池セ
ル４の長手方向に延びる管状部分４２ｂとを有している。本体部分４２ａ及び管状部分４
２ｂは、円筒形であり且つ同心であり、管状部分４２ｂの管径は、本体部分４２ａの管径
よりも細くなっている。管状部分４２ｂは、貫通流路５０と連通し且つ外部と通じる接続
流路４２ｃを有している。本体部分４２ａと管状部分４２ｂとの間の段部４２ｄは、環状
の絶縁部材５２を介して外側の電極層４８、電解質層４６及び内側の電極層４４の端面４
４ｃと当接している。
【００２８】
内側電極端子４０の全体形状と外側電極端子４２の全体形状とは同一である。また、内
側電極端子４０と燃料電池セル４、及び、外側電極端子４２と燃料電池セル４とは、その
全周にわたって導電性のシール材５４によってシールされ且つ固定されている。シール材
５４は、例えば、銀、銀とガラスの混合物、金、ニッケル、銅、チタンなどを含む各種ロ
ウ材である。
【００２９】
内側電極端子４０の接続流路４０ｃ、燃料電池セル４の貫通流路５０、及び外側電極端
子４２の接続流路４２ｃは、燃料電池セルユニット３０の管内流路３０ｃを構成する。
【００３０】
続いて、燃料電池セルユニット３０を含む燃料電池セルスタック４００について、図５
を参照しながら説明する。燃料電池セルスタック４００は、１６本の燃料電池セルユニッ
ト３０と、上支持板４００ａと、下支持板４００ｂと、接続部材４００ｃと、外部端子４
００ｄとを備えている。
【００３１】
上支持板４００ａ及び下支持板４００ｂは矩形であり、それぞれ、燃料電池セルユニッ
ト３０を２列×８行で支持するように燃料電池セルユニット３０の管状部分４０ｂ、４２
ｂに嵌合する貫通穴（図に明示しない）を有している。上支持板４００ａ及び下支持板４
００ｂは、電気絶縁性材料で形成されており、例えば、耐熱性のセラミックスで形成され
ている。具体的には、アルミナ、ジルコニア、スピネル、フォルステライト、マグネシア
、チタニアなどを用いることが好ましい。尚、燃料電池セルユニット３０の管状部分４０
ｂ，４２ｂと上支持板４００ａ及び下支持板４００ｂの貫通穴との間には、双方を密着固
定させるための密着固定部材を介在させることも好ましい。密着固定部材は、例えば、ガ
ラス、ロウ材、セラミックスなどが挙げられる。ガラスやロウ材は溶解することで密着固
定することができ、セラミックスは焼結させることで密着固定することができる。
【００３２】
１６本の燃料電池セルユニット３０は、それらが電気的に直列に接続されるように配列
されている。詳細には、燃料電池セルユニット３０は、隣接した燃料電池セルユニット３
０の内側電極端子４０が交互に上側及び下側に配置されるように配列されている。更に、
１６本の燃料電池セルユニット３０を電気的に直列に接続するための接続部材４００ｃが
設けられている。接続部材４００ｃは、隣接した１つの内側電極端子４０と１つの外側電
極端子４２とを電気的に接続する。直列に接続された１６本の燃料電池セルユニット３０
の両端部の内側電極端子４０及び外側電極端子４２にはそれぞれ、外部と電気的な接続を
行うための外部端子４００ｄが設けられている。接続部材４００ｃ、外部端子４００ｄは
、例えば、ステンレス鋼、ニッケル基合金、クロム基合金などの耐熱金属や、ランタンク
ロマイトなどのセラミック材料で形成される。各燃料電池セルスタック４００の外部端子
４００ｄは電気的に直列に接続されていて、その両端には電極棒１３，１４に接続されて
いる。
【００３３】
図４及び図５を参照しながら説明したように、燃料電池セルスタック４００において、
燃料電池セルユニット３０の内側電極端子４０が設けられている端部４ａと外側電極端子
４２が設けられている端部４ｂとは上下交互になるように配置されている。
【００３４】
また、燃料電池セルスタック４００を構成する上支持板４００ａには、燃料電池セル４
（燃料電池セルユニット３０）において発電反応に寄与しなかった酸化剤ガスとしての空
気を通過させるための穴４００ａｂ（酸化剤ガス導入部）が設けられている。
また本実施形態の燃料電池モジュールでは、保持部材である上支持板４００ａが複数配置されている。具体的には図３に示すように、１０個の上支持板が配置されている。さらに隣り合う上支持板どうしが離間配置され、上支持板の長辺と隣り合う上支持板の長辺との間に離間部1000を形成している。
その離間部1000を図３に図示する。本実施例では離間部1000は9箇所ある。
【００３５】
ここで、図１〜３に戻り、燃料電池モジュールＦＣの説明を続ける。本実施形態では、
燃料電池セルスタック４００の上方に位置するように、改質器５が配置されている。改質
器５には、配管６Ｃと配管６Ｄとが繋がれていて、これらの配管６Ｃ及び配管６Ｄによっ
て、改質器５は燃料電池セルスタック４００と所定間隔をおいて上方に位置するように保
持されている。配管６Ｃは、改質器５に被改質ガスとしての都市ガス、空気、及び水蒸気
を供給するための配管であって、仕切り板１５に対して立設されている。配管６Ｄは、改
質器５において改質された燃料ガスをガスタンク３に供給するための配管であって、ガス
タンク３に対して立設されている。
【００３６】
配管６Ｃを通して改質器５に供給される都市ガス及び空気は、被改質ガス供給管６Ａを
通って燃料電池モジュールＦＣ内に導入される。また、配管６Ｃを通して改質器５に供給
される水蒸気は、水蒸気供給管６Ｂを通って燃料電池モジュールＦＣ内に導入される。被
改質ガス供給管６Ａ及び水蒸気供給管６Ｂは、仕切り板１５を挟んで配管６Ｃとは反対側
に設けられている混合室１５ｃに繋がっている。被改質ガス供給管６Ａから供給される都
市ガス及び空気と、水蒸気供給管６Ｂから供給される水蒸気とは、この混合室１５ｃにお
いて混合され、配管６Ｃへと供給される。
【００３７】
図１〜３には明示しないが本実施形態では、被改質ガス供給管６Ａと水蒸気供給管６Ｂ
とのそれぞれに電磁弁が取り付けられていて、それぞれの電磁弁は制御部としてのＣＰＵ
から出力される指示信号に応じて開閉し、改質器５に供給する被改質ガスと空気との比率
を変更可能なように構成されている。
【００３８】
改質器５に導入された被改質ガスとしての都市ガス（水蒸気が混合されている場合もあ
り）及び空気（被改質ガスのみの場合もあり）は、改質器５内に収められている改質触媒
によって改質される。改質された燃料ガスは、配管６Ｄを通ってガスタンク３へと供給さ
れる。改質器５に対して配管６Ｃが繋がっている部分と、改質器５に対して配管６Ｄが繋
がっている部分とは、長手方向において一端近傍と他端近傍とに引き離されている。これ
によって、改質器５に供給された燃料ガス及び空気は改質触媒に十分に触れることが可能
となる。
【００３９】
改質器５には、改質触媒が封入されている。改質触媒としては、アルミナの球体表面に
ニッケルを付与したもの、アルミナの球体表面にルテニウムを付与したもの、が適宜用い
られる。これらの改質触媒は球体である。
【００４０】
本実施形態では、改質器５及び各燃料電池セルスタック４００を覆うように、流路部材
７が設けられている。流路部材７は、空気流路外壁７１，７２と、空気分配室７３と、空
気集約室７４，７５と、空気流路管７６ａ，７６ｂ，７７ａ，７７ｂ（酸化剤ガス流路部
材）と、外壁７８，７９を有している。流路部材７は、長手方向に空気流路外壁７１，７
２が、短手方向に外壁７８，７９が、それぞれ配置され、それらの部材によって箱状とな
るように形成されている。流路部材７は、改質器５及び各燃料電池セルスタック４００を
覆うように、仕切り板１５に立設されている。続く説明では、流路部材７の仕切り板１５
に当接する側を下方とし、その下方と反対側を上方として説明する。
【００４１】
空気分配室７３は、外壁７９の外側上方に取り付けられている。すなわち、空気分配室
７３は、空気流路外壁７１，７２と外壁７８，７９とによって形成される箱状体の外側且
つ短手側の上方に取り付けられている。空気分配室７３には、空気供給管７Ａ（酸化剤ガ
ス供給管）が繋がれており、酸化剤ガスとしての空気が供給される。空気分配室７３には
、空気流路管７６ａ，７６ｂ，７７ａ，７７ｂも繋がれている。
【００４２】
空気流路管７６ａ，７６ｂは、空気流路外壁７１，７２と外壁７８，７９とによって形
成される箱状体の内側且つ長手側の上方に、空気流路外壁７１に沿うように配置されてい
る。空気流路管７６ａは、空気流路外壁７１側に、空気流路管７６ｂは、空気流路管７６
ａよりも内側に、それぞれ配置されている。空気流路管７６ａ，７６ｂの一端は外壁７９
を貫通して空気分配室７３に繋がれており、他端は空気集約室７４に繋がれている。従っ
て、空気分配室７３に流入した空気は、空気流路管７６ａ，７６ｂを通り、空気集約室７
４へと流れ込んで再合流する。
【００４３】
空気流路管７７ａ，７７ｂは、空気流路外壁７１，７２と外壁７８，７９とによって形
成される箱状体の内側且つ長手側の上方に、空気流路外壁７２に沿うように配置されてい
る。空気流路管７７ａは、空気流路外壁７２側に、空気流路管７７ｂは、空気流路管７７
ａよりも内側に、それぞれ配置されている。空気流路管７７ａ，７７ｂの一端は外壁７９
を貫通して空気分配室７３に繋がれており、他端は空気集約室７５に繋がれている。従っ
て、空気分配室７３に流入した空気は、空気流路管７７ａ，７７ｂを通り、空気集約室７
５へと流れ込んで再合流する。
【００４４】
空気集約室７４，７５は、外壁７８の内側上方に取り付けられている。すなわち、空気
集約室７４，７５は、空気流路外壁７１，７２と外壁７８，７９とによって形成される箱
状体の内側且つ短手側の上方に取り付けられている。空気集約室７４は空気流路外壁７１
と密着するように配置されており、空気集約室７４に流れ込んだ空気は空気流路外壁７１
へと流れ出すように構成されている。一方、空気集約室７５は空気流路外壁７２と密着す
るように配置されており、空気集約室７５に流れ込んだ空気は空気流路外壁７２へと流れ
出すように構成されている。
【００４５】
空気流路外壁７１，７２は、それぞれが二重壁構造となっていて、それぞれの内部を空
気が流れることができるように構成されている。より具体的には、空気流路外壁７１は、
上方から三室に分割された構造となっており、上方から順に、第一室７１１、第二室７１
２、第三室７１３として形成されている。空気集約室７４から流れ込んだ空気は、第一室
７１１に流れ込んだ後、第二室７１２に流れ込み、その後第三室７１３に流れ込む。同様
に、空気流路外壁７２も、上方から三室に分割された構造となっており、上方から順に、
第一室７２１、第二室７２２、第三室７２３として形成されている。空気集約室７５から
流れ込んだ空気は、第一室７２１に流れ込んだ後、第二室７２２に流れ込み、その後第三
室７２３に流れ込む。
【００４６】
第三室７１３，７２３にはそれぞれ、所定間隔をおいて複数の空気流入孔７１３ａ，７
２３ａが形成されている。空気流入孔７１３ａ，７２３ａは、燃料電池セルスタック４０
０が連設されている方向に、燃料電池セル４に対する上下方向の位置が略同一となるよう
に、複数個形成されている。
【００４７】
空気流路外壁７１，７２に流れ込んだ空気は、空気流入孔７１３ａ，７２３ａを通って
発電室１６内の燃料電池セル４近傍へと流れ込むように構成されている。空気流入孔７１
３ａ，７２３ａを通って流れ込んだ空気は、燃料電池セル４の外側を通って各燃料電池セ
ル４の下方から上方へと流れる。各燃料電池セル４の上方に至った空気は、各燃料電池セ
ル４の管内流路を通った燃料ガスと合わせて燃焼される。
【００４８】
各燃料電池セルスタック４００の上方は、空気と燃料ガスとが混合して燃焼する燃焼部
１８となっている。燃料ガスは、ガスタンク３から、燃料電池セルユニット３０の管内流
路３０ｃを通り、燃焼部１８に向けて上昇する。また、燃料電池セル４の外側を流れる空
気も、燃焼部１８に向けて上昇し、上述した上支持板４００ａに設けられた穴４００ａｂ
を通って燃焼部１８に至る。空気流路外壁７２の燃焼部１８に対応する部分には点火装置
挿入穴７２４が設けられ、燃焼ガスと空気との燃焼を開始させるための点火装置（図示し
ない）が点火装置挿入穴７２４から燃焼部１８に突出されている。この点火装置により燃
料ガスと空気とが混合して燃焼する。燃料電池セルスタック４００を構成する燃料電池セ
ル４は、燃焼部１８によって上方から加熱される。また、空気流入孔７１３ａ，７２３ａ
を通って流れ込む空気も、上述したように空気流路管７６ａ，７６ｂ，７７ａ，７７ｂ、
空気流路外壁７１，７２を通る間に、燃焼部１８における燃焼によって加熱される。
【００４９】
ここで、燃料電池セル４近傍のガスの流れについて、図６を参照しながら説明する。図
６は、燃料電池セル４及び燃料電池セル４を含む燃料電池セルユニット３０近傍を模式的
に示した図である。図６においては、各部材を簡略的に示しているため、既に参照した図
面とは形状が異なっている場合もある。図６に示すように、ガスタンク３には、下支持板
４００ｂを介して燃料電池セルユニット３０が立設されている。下支持板４００ｂと各燃
料電池セルユニット３０の内側電極端子４０（又は外側電極端子４２）との間には集電部
材としての接続部材４００ｃ又は外部端子４００ｄが配置されている。ガスタンク３に流
れ込んだ燃料ガスは、各燃料電池セル４内の貫通流路（図６においては明示しない）に流
れ込み、上方へと流れていく。
【００５０】
核燃料電池セルユニット３０に跨るように、上支持板４００ａが戴置されている。上支
持板４００ａと各燃料電池セルユニット３０の内側電極端子４０（又は外側電極端子４２
）との間には集電部材としての接続部材４００ｃが配置されている。図６に示すように、
燃料電池セルユニット３０の他端側である上端側が保持部材としての上支持板４００ａを
貫通し、その貫通部分において複数の燃料電池セルユニット３０それぞれは上支持板４０
００ａに対して嵌合されることで密着固定されている。上述したように燃料ガスは燃料電
池セル４内の貫通流路に流れ込んで上支持板４００ａ側へと流れて行き、各燃料電池セル
ユニット３０の内側電極端子４０（又は外側電極端子４２）の先端部分から発電反応に寄
与しなかった燃料ガスが排出される。一方、酸化剤ガスとしての空気は、各燃料電池セル
ユニット３０の外側を下方から上方へと流れて行き、発電反応に寄与しなかった空気は、
穴４００ａｂから排出される。穴４００ａｂは、隣接する燃料電池セルユニット３０の間
に設けられ、上支持板４００ａの主面（ガスタンク３に向かう面）から、裏面（ガスタン
ク３に向かう面とは反対側の面）へと貫通しているので、空気は各燃料電池セルユニット
３０の内側電極端子４０（又は外側電極端子４２）の先端部分近傍へと吹き出され、良好
な燃焼が行われる。
【００５１】
上述した例では、燃料電池セル４を含む燃料電池セルユニット３０は、燃料電池セル４
の一端に内側電極端子４０を、他端に外側電極端子４２を取り付ける態様を採用している
。電気接続の都合から、各燃料電池セルユニット３０は内側電極端子４０が取り付けられ
ている側と、外側電極端子４２が取り付けられている側とが交互になるように配置されて
いる。しかしながら、燃料電池セル４を含む燃料電池セルユニット３０の形成態様は上述
したものに限られない。例えば、内側電極端子４０及び外側電極端子４２のようなキャッ
プ形状の端子ではなく、燃料電池セル４の一方に電極端子を一対設け、一方を外側電極と
して、他方を内側電極とする態様も採用可能である。この場合、図７に示すように、燃料
電池セル４を含む燃料電池セルユニット３０ａの上側の端部には電極等が取り付けられて
いないため、上支持板４００ａに対して、燃料電池セル４が直接当接して取り付けられて
いる。この場合であっても、上述したような燃料ガス及び空気の流れには何ら変わるとこ
ろがなく、燃料電池セル４の外側を流れる酸化剤ガスとしての空気は、穴４００ａｂを通
って燃料電池セル４の先端部分に近傍へと吹き出され、良好な燃焼が行われる。
【００５２】
上述した実施形態では、燃料電池セルユニット３０を２列×８行で支持するように、上
支持板４００ａ及び下支持板４００ｂをそれぞれ分割する形態で実施した。
【００５３】
図１、２で示すように本実施例では空気流路外壁７１、７２および外壁７８、７９が酸化剤ガス拡散防止壁として作用する。具体的には酸化剤ガス拡散防止壁である空気流路外壁７１、７２、外壁７８、７９が燃料電池セル４に隣接して配置されている。
すると、酸化剤ガス拡散防止壁のセル側では、セルの下方に向けて供給された酸化剤ガスである空気が酸化剤ガス拡散防止壁よりも外側へ行くことができず、燃料電池セル４へ向かう。
ここで本実施例ではさらに保持部材としての上支持板は、複数備えられ、それぞれの保持部材は、前記複数の燃料電池セル部材において発電反応に寄与しなかった残余の酸化剤ガスが通過可能なように隣の上支持板と離間配置されている。例えば図３での離間部1000で示される。
よって上支持板間の離間部に酸化剤ガスが移動すここととなる。すなわち言い換えると上支持板の下側のセルに沿って酸化剤ガスである空気が移動することとなり、セルに対して十分に空気が接触することとなり、発電性能が良好となる。
さらに一般にセルの下方から酸化剤ガスが供給される場合、セルの上部に酸化剤ガスが供給されにくくなる不具合を生ずるが、本実施例ではセルの上方に配置される上支持板が隣り合う上支持板との間に離間部を有している。
よって酸化剤ガスはその離間部に向かって供給されることとなり、その下方に位置する燃料電池セルの上方側に十分に酸化剤ガスが与えられ易くなる。
【００５４】
なお本実施例では酸化剤ガス拡散防止壁として空気流路外壁７１、７２および外壁７８、７９がある場合を説明したが、空気が供給される側、あるいは長手側である空気流路外壁７１、７２のみを酸化剤ガス拡散防止壁として配置させた場合であっても、十分に機能する。
なお酸化剤ガス拡散防止壁はカバー部材とセルとの間に位置している。
【００５５】
さらに本実施例では上支持板自体にも酸化剤ガスの通り道として機能する酸化剤ガス導入部を備えており、よりセルに接触しながら上方へ酸化剤ガスが移動するようになっている。
【図面の簡単な説明】
【００５６】
【図１】カバー部材を外して示す燃料電池モジュールの斜視図である。
【図２】図１に示す燃料電池モジュールの断面図である。
【図３】図１に示す燃料電池モジュールの断面図である。
【図４】燃料電池セルユニットを説明するための図である。
【図５】燃料電池セルスタックを説明するための図である。
【図６】燃料電池セル近傍のガスの流れを説明するための図である。
【図７】燃料電池セルユニットの支持態様の別例を示す図である。
【符号の説明】
【００５７】
２：ベース部材
２ａ：穴
３：ガスタンク
４：燃料電池セル
４ａ：端部
４ｂ：端部
５：改質器
６Ａ：被改質ガス供給管
６Ｂ：水蒸気供給管
６Ｃ：配管
６Ｄ：配管
７：流路部材
７Ａ：空気供給管
１３，１４：電極棒
１５：板
１５ａ：支持部材
１５ｂ：隙間
１５ｃ：混合室
１６：発電室
１７：排気ガス室
１８：燃焼部
３０：燃料電池セルユニット
３０ｃ：管内流路
４０：内側電極端子
４０ａ：本体部分
４０ｂ：管状部分
４０ｃ：接続流路
４０ｄ：段部
４２：外側電極端子
４２ａ：本体部分
４２ｂ：管状部分
４２ｃ：接続流路
４２ｄ：段部
４４：電極層
４４ａ：内側電極露出周面
４４ｂ：端面
４４ｃ：端面
４６：電解質層
４６ａ：電解質露出周面
４８：電極層
４８ａ：外側電極露出周面
５０：貫通流路
５２：絶縁部材
５４：シール材
７１：空気流路外壁
７２：空気流路外壁
７３：空気分配室
７４：空気集約室
７５：空気集約室
７６ａ，７６ｂ，７７ａ，７７ｂ：空気流路管
７６ａａ，７６ｂａ，７７ａａ，７７ｂａ：下面
７８：外壁
７９：外壁
８０，８１：移行板
８２，８３：移行ブロック
８４：移行板
４００：燃料電池セルスタック
４００ａ：上支持板
４００ｂ：下支持板
４００ｃ：接続部材
４００ｄ：外部端子
７１１：第一室
７１２：第二室
７１３：第三室
７１３ａ，７２３ａ：空気流入孔
７２１：第一室
７２２：第二室
７２３：第三室
７２４：点火装置挿入穴
ＦＣ：燃料電池モジュール
【図１】
2010097797.tif 000003
【図２】
2010097797.tif 000004
【図３】
2010097797.tif 000005
【図４】
2010097797.tif 000006
【図５】
2010097797.tif 000007
【図６】
2010097797.tif 000008
【図７】
2010097797.tif 000009